(57)【要約】【課題】管理者等において、電力消費または電力系統への電力供給の調整に関する処理をより円滑に行うことのできる表示処理装置、表示処理方法および表示処理プログラムを提供する。【解決手段】表示処理装置は、電力消費または電力系統への電力供給の調整についての調整可能量およびコストの１または複数の候補を示す候補情報を取得する取得部と、前記取得部により取得された前記候補情報に基づいて、前記候補を期間に対応づけて表示する処理を行う表示処理部とを備える。【選択図】図１
2018061345.tif 000002
【特許請求の範囲】
【請求項１】
電力消費または電力系統への電力供給の調整についての調整可能量およびコストの１または複数の候補を示す候補情報を取得する取得部と、
前記取得部により取得された前記候補情報に基づいて、前記候補を期間に対応づけて表示する処理を行う表示処理部とを備える、表示処理装置。
【請求項２】
前記期間は、電力を売買する市場における取引の時間区分に基づく期間である、請求項１に記載の表示処理装置。
【請求項３】
前記表示処理部は、前記処理において、前記候補の評価内容をさらに表示する、請求項１または請求項２に記載の表示処理装置。
【請求項４】
前記候補は、前記調整の依頼対象ごとの前記調整可能量および前記コストを含む、請求項１から請求項３のいずれか１項に記載の表示処理装置。
【請求項５】
前記表示処理部は、前記処理において、前記候補に含まれる前記依頼対象を変更するための情報をさらに表示する、請求項４に記載の表示処理装置。
【請求項６】
前記表示処理部は、前記処理において、前記依頼対象の属性と、環境と、実績に基づく情報とのうちの少なくともいずれか１つをさらに表示する、請求項４または請求項５に記載の表示処理装置。
【請求項７】
前記表示処理装置は、さらに、
選択された前記候補に含まれる前記依頼対象へ前記調整の依頼情報を送信する通知部を備える、請求項４から請求項６のいずれか１項に記載の表示処理装置。
【請求項８】
表示処理装置における表示処理方法であって、
電力消費または電力系統への電力供給の調整についての調整可能量およびコストの１または複数の候補を示す候補情報を取得するステップと、
取得した前記候補情報に基づいて、前記候補を期間に対応づけて表示する処理を行うステップとを含む、表示処理方法。
【請求項９】
表示処理装置において用いられる表示処理プログラムであって、
コンピュータを、
電力消費または電力系統への電力供給の調整についての調整可能量およびコストの１または複数の候補を示す候補情報を取得する取得部と、
前記取得部により取得された前記候補情報に基づいて、前記候補を期間に対応づけて表示する処理を行う表示処理部、
として機能させるための、表示処理プログラム。
【発明の詳細な説明】
【技術分野】
【０００１】
本発明は、表示処理装置、表示処理方法および表示処理プログラムに関する。
【背景技術】
【０００２】
従来、電力消費または電力系統への電力供給の調整に関する技術が開発されている。たとえば、特開２０１５−１１６０３８号公報（特許文献１）には、以下のような電力消費管理装置が記載されている。すなわち、電力消費管理装置は、複数の電力需要施設における電力消費を管理する電力消費管理装置であって、１または複数の電力供給側から電力消費に関する電力管理情報を取得する管理情報取得部と、前記電力管理情報に基づいて、前記電力需要施設における電力消費に関する指示情報を前記電力需要施設に通知する指示処理を行う指示部と、前記指示情報を通知した前記電力需要施設における電力消費を監視する監視部とを備え、前記指示部は、前記電力管理情報および前記監視部の監視結果に基づいて、前記指示処理の内容を変更する。
【先行技術文献】
【特許文献】
【０００３】
【特許文献１】特開２０１５−１１６０３８号公報
【発明の概要】
【発明が解決しようとする課題】
【０００４】
管理者等において、上記のような電力消費または電力系統への電力供給の調整に関する処理をより円滑に行うことのできる技術が求められている。
【０００５】
この発明は、上述の課題を解決するためになされたもので、その目的は、管理者等において、電力消費または電力系統への電力供給の調整に関する処理をより円滑に行うことのできる表示処理装置、表示処理方法および表示処理プログラムを提供することである。
【課題を解決するための手段】
【０００６】
（１）上記課題を解決するために、この発明のある局面に係わる表示処理装置は、電力消費または電力系統への電力供給の調整についての調整可能量およびコストの１または複数の候補を示す候補情報を取得する取得部と、前記取得部により取得された前記候補情報に基づいて、前記候補を期間に対応づけて表示する処理を行う表示処理部とを備える。
【０００７】
（８）上記課題を解決するために、この発明のある局面に係わる表示処理方法は、表示処理装置における表示処理方法であって、電力消費または電力系統への電力供給の調整についての調整可能量およびコストの１または複数の候補を示す候補情報を取得するステップと、取得した前記候補情報に基づいて、前記候補を期間に対応づけて表示する処理を行うステップとを含む。
【０００８】
（９）上記課題を解決するために、この発明のある局面に係わる表示処理プログラムは、表示処理装置において用いられる表示処理プログラムであって、コンピュータを、電力消費または電力系統への電力供給の調整についての調整可能量およびコストの１または複数の候補を示す候補情報を取得する取得部と、前記取得部により取得された前記候補情報に基づいて、前記候補を期間に対応づけて表示する処理を行う表示処理部、として機能させるためのプログラムである。
【０００９】
本発明は、このような特徴的な処理部を備える表示処理装置の一部または全部を実現する半導体集積回路として実現したり、表示処理装置を含む管理システムとして実現したりすることができる。
【発明の効果】
【００１０】
本発明によれば、管理者等において、電力消費または電力系統への電力供給の調整に関する処理をより円滑に行うことができる。
【図面の簡単な説明】
【００１１】
【図１】図１は、本発明の実施の形態に係る電力管理システムの構成を示す図である。
【図２】図２は、本発明の実施の形態に係る電力管理装置における表示処理部により表示される画面の例１を示す図である。
【図３】図３は、本発明の実施の形態に係る電力管理装置における表示処理部により表示される画面の例２を示す図である。
【図４】図４は、本発明の実施の形態に係る電力管理装置における表示処理部により表示される画面の例３を示す図である。
【図５】図５は、本発明の実施の形態に係る電力管理装置における表示処理部により表示される画面の例４を示す図である。
【図６】図６は、本発明の実施の形態に係る電力管理装置における表示処理部により表示される画面の例５を示す図である。
【図７】図７は、本発明の実施の形態に係る電力管理装置における表示処理部により表示される画面の例６を示す図である。
【図８】図８は、本発明の実施の形態に係る電力管理装置による動作手順を定めたフローチャートである。
【発明を実施するための形態】
【００１２】
最初に、本発明の実施形態の内容を列記して説明する。
【００１３】
（１）本発明の実施の形態に係る表示処理装置は、電力消費または電力系統への電力供給の調整についての調整可能量およびコストの１または複数の候補を示す候補情報を取得する取得部と、前記取得部により取得された前記候補情報に基づいて、前記候補を期間に対応づけて表示する処理を行う表示処理部とを備える。
【００１４】
このような構成により、画面の表示を確認することで、たとえば、ある期間における電力消費の調整可能量、またはある期間における電力系統への電力供給の調整可能量と、上記調整のためのコストとを視覚的に容易に把握することができる。
【００１５】
また、管理者等において、たとえば、電力を売買する市場において電力の取引を行う場合、画面の表示を確認して調整可能量およびコストの候補を把握することにより、市場へ通知する取引可能な電力量および取引希望価格を容易に決定することができる。
【００１６】
したがって、管理者等において、電力消費または電力系統への電力供給の調整に関する処理をより円滑に行うことができる。
【００１７】
（２）好ましくは、前記期間は、電力を売買する市場における取引の時間区分に基づく期間である。
【００１８】
このような構成により、管理者等において、たとえば、電力の取引が行われる時間単位の調整可能量およびコストを把握することができるため、市場へ通知する取引可能な電力量および取引希望価格をより容易に決定することができる。
【００１９】
（３）より好ましくは、前記表示処理部は、前記処理において、前記候補の評価内容をさらに表示する。
【００２０】
このような構成により、管理者等において、画面に表示された候補の特徴を容易に把握することができる。また、たとえば、複数の候補が存在し、画面に各候補の評価内容が表示される場合、管理者等において、各候補の特徴を容易に比較することができる。
【００２１】
（４）より好ましくは、前記候補は、前記調整の依頼対象ごとの前記調整可能量および前記コストを含む。
【００２２】
このような構成により、管理者等において当該候補のより詳細な内容を把握することができる。
【００２３】
また、管理者等において、たとえば、依頼対象ごとの調整可能量およびコストを把握したうえで、市場へ通知する取引可能な電力量および取引希望価格を決定することができる。
【００２４】
（５）より好ましくは、前記表示処理部は、前記処理において、前記候補に含まれる前記依頼対象を変更するための情報をさらに表示する。
【００２５】
このような構成により、管理者等において、画面に表示された情報を用いることにより、候補に含まれる依頼対象の入れ替えまたは削除などの変更を容易に行うことができる。
【００２６】
（６）より好ましくは、前記表示処理部は、前記処理において、前記依頼対象の属性と、環境と、実績に基づく情報とのうちの少なくともいずれか１つをさらに表示する。
【００２７】
このような構成により、管理者等において、たとえば、依頼対象ごとの調整可能量およびコストに加えて、さらに、依頼対象ごとのより詳細な情報を把握したうえで、市場へ通知する取引可能な電力量および取引希望価格を決定することができる。
【００２８】
（７）より好ましくは、前記表示処理装置は、さらに、選択された前記候補に含まれる前記依頼対象へ前記調整の依頼情報を送信する通知部を備える。
【００２９】
このような構成により、管理者等において、各依頼対象への依頼情報を一斉かつ容易に送信することができる。
【００３０】
（８）本発明の実施の形態に係る表示処理方法は、表示処理装置における表示処理方法であって、電力消費または電力系統への電力供給の調整についての調整可能量およびコストの１または複数の候補を示す候補情報を取得するステップと、取得した前記候補情報に基づいて、前記候補を期間に対応づけて表示する処理を行うステップとを含む。
【００３１】
このような方法により、画面の表示を確認することで、たとえば、ある期間における電力消費の調整可能量、またはある期間における電力系統への電力供給の調整可能量と、上記調整のためのコストとを視覚的に容易に把握することができる。
【００３２】
また、管理者等において、たとえば、電力を売買する市場において電力の取引を行う場合、画面の表示を確認して調整可能量およびコストの候補を把握することにより、市場へ通知する取引可能な電力量および取引希望価格を容易に決定することができる。
【００３３】
したがって、管理者等において、電力消費または電力系統への電力供給の調整に関する処理をより円滑に行うことができる。
【００３４】
（９）本発明の実施の形態に係る表示処理プログラムは、表示処理装置において用いられる表示処理プログラムであって、コンピュータを、電力消費または電力系統への電力供給の調整についての調整可能量およびコストの１または複数の候補を示す候補情報を取得する取得部と、前記取得部により取得された前記候補情報に基づいて、前記候補を期間に対応づけて表示する処理を行う表示処理部、として機能させるためのプログラムである。
【００３５】
このような構成により、画面の表示を確認することで、たとえば、ある期間における電力消費の調整可能量、またはある期間における電力系統への電力供給の調整可能量と、上記調整のためのコストとを視覚的に容易に把握することができる。
【００３６】
また、管理者等において、たとえば、電力を売買する市場において電力の取引を行う場合、画面の表示を確認して調整可能量およびコストの候補を把握することにより、市場へ通知する取引可能な電力量および取引希望価格を容易に決定することができる。
【００３７】
したがって、管理者等において、電力消費または電力系統への電力供給の調整に関する処理をより円滑に行うことができる。
【００３８】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３９】
＜構成および基本動作＞
［電力管理システム］
図１は、本発明の実施の形態に係る電力管理システムの構成を示す図である。
【００４０】
図１を参照して、電力管理システム２０１は、電力管理装置（表示処理装置）１０１と、１または複数の施設側装置１０２と、表示装置１５１とを備える。
【００４１】
施設側装置１０２は、発電施設、または工場、オフィスもしくは一般家庭などの電力需要施設におけるエネルギーリソースである。具体的には、施設側装置１０２は、太陽光発電装置もしくは風力発電装置などの発電装置、蓄電池、または、空調機などの負荷装置である。
【００４２】
電力管理装置１０１は、アグリゲータ等の配信事業者によって運用され、１または複数の施設側装置１０２と通信を行なうことにより、施設側装置１０２における発電量、蓄電量または電力消費量を管理する。
【００４３】
表示装置１５１は、たとえばタッチパネル式による情報の入力の受け付け、および画面の表示を行う装置である。表示装置１５１は、情報の送受信を行う通信部２１と、画面の表示を行う表示処理部２２と、液晶モニタなどの表示部２３とを備える。
【００４４】
通信部２１は、電力管理装置１０１の管理者等が表示装置１５１の図示しない操作部に情報の入力を行うと、入力された情報を電力管理装置１０１へ送信する。
【００４５】
また、通信部２１は、たとえば、表示部２３に表示する画面に関する画面情報を取得し、取得した画面情報を表示処理部２２へ出力する。
【００４６】
表示処理部２２は、通信部２１から画面情報を受けると、当該画面情報に基づく内容の画面を表示部２３に表示する。
【００４７】
なお、電力管理装置１０１は、表示装置１５１における通信部２１、表示処理部２２および表示部２３のうちの一部または全部を備える構成であってもよい。
【００４８】
また、表示装置１５１の代わりに、たとえばモニタを有する端末装置であって、電力管理装置１０１との間で無線通信による情報の送受信を行う端末装置が設けられてもよい。
【００４９】
［電力管理装置］
電力管理装置１０１は、取得部１１と、管理部１２と、記憶部１３と、表示処理部１４と、送信部（通知部）１５とを備える。
【００５０】
電力管理装置１０１の管理者が、たとえば、電力消費の調整の目標量または電力系統への電力供給の調整の目標量を決定し、決定した目標量を表示装置１５１の図示しない操作部に入力する。この場合、通信部２１は、入力された目標量を示す目標量情報を電力管理装置１０１へ送信する。
【００５１】
なお、電力消費の調整は、電力消費量を減らすこと、または電力消費量を増やすことを意味する。また、電力系統への電力供給の調整は、電力系統への電力供給量を減らすこと、または電力系統への電力供給量を増やすことを意味する。
【００５２】
なお、管理者の入力する目標量は、「１５ＭＷ」などの数値であってもよいし、「１０ＭＷ以上」などの数値の範囲であってもよい。また、管理者は、調整の目標量の代わりに調整のためのコストを入力してもよいし、調整の目標量およびコストの両方を入力してもよい。
【００５３】
電力管理装置１０１における表示処理部１４は、たとえば、通信部２１から送信された目標量情報を受信し、受信した目標量情報を管理部１２へ出力する。
【００５４】
管理部１２は、表示処理部１４から目標量情報を受けると、たとえば、当該目標量情報を取得部１１へ出力するとともに、候補情報の取得を取得部１１に指示する。候補情報は、電力消費の調整または電力系統への電力供給の調整についての調整可能量、および当該調整可能量を実現するためのコストの１または複数の候補を示す。
【００５５】
取得部１１は、たとえば、管理部１２から受けた目標量情報の示す目標量を外部サーバへ通知して、当該外部サーバから候補情報を取得する。候補情報の示す候補は、たとえば、目標量に近い値または同じ値の調整可能量を含む。なお、取得部１１は、外部サーバから候補情報を取得する代わりに、自ら候補情報を作成してもよい。
【００５６】
そして、取得部１１は、取得した候補情報を管理部１２へ出力し、管理部１２は、取得部１１から受けた候補情報を表示処理部１４へ出力する。また、管理部１２は、当該候補情報を記憶部１３に保存する。
【００５７】
表示処理部１４は、管理部１２から候補情報を受けると、当該候補情報に基づいて、１または複数の候補を表示部２３に表示する処理を行う。
【００５８】
このとき、表示処理部１４は、たとえば、各候補を、電力を売買する市場における取引の時間区分に基づく期間に対応づけて表示する。具体的には、表示処理部１４は、たとえば、市場における取引の時間区分である３０分単位で区切られたタイムテーブルの対応する位置に各候補を示す図形を表示する。
【００５９】
より詳細には、表示処理部１４は、たとえば、候補情報に基づいて、各候補の図形の画面における座標および形状等を示す画面情報を作成し、作成した画面情報を表示装置１５１へ送信する。
【００６０】
表示装置１５１における通信部２１は、表示処理部１４から送信された画面情報を受信し、受信した画面情報を表示処理部２２へ出力する。
【００６１】
表示処理部２２は、通信部２１から画面情報を受けると、たとえば、当該画面情報に基づいて、１または複数の図形を表示部２３に表示する。
【００６２】
なお、表示装置１５１における表示処理部２２は、電力管理装置１０１における表示処理部１４から通信部２１経由で候補情報を受信し、受信した候補情報に基づいて自ら画面情報を作成してもよい。
【００６３】
また、表示処理部１４は、各候補の図形以外を表示する場合も同様に、表示対象の画面における座標等を示す画面情報を作成し、作成した画面情報を表示装置１５１へ送信する。そして、表示装置１５１における通信部２１は、表示処理部１４から送信された画面情報を受信し、受信した画面情報を表示処理部２２へ出力する。そして、表示処理部２２は、通信部２１から画面情報を受けると、たとえば、当該画面情報に基づいて表示対象を表示部２３に表示する。
【００６４】
電力管理装置１０１の管理者等は、たとえば、表示部２３に表示された画面における図形を参照して各候補の調整可能量およびコストを把握し、いずれかの候補を選択する。そして、管理者等は、たとえば、選択した候補の調整可能量を一般電気事業者との間で取引可能な電力量として決定する。また、管理者等は、たとえば、選択した候補のコストに利益等を加えた価格を取引希望価格として決定する。
【００６５】
そして、管理者等は、決定した取引可能な電力量および取引希望価格を、電力の売買が行われる市場の規定時刻までに当該市場へ通知する。
【００６６】
そして、たとえば、管理者等の通知した取引可能な電力量および取引希望価格で一般電気事業者との間の約定が成立すると、管理者等は、約定の成立および約定の内容の通知を受ける。
【００６７】
そして、管理者等が、たとえば、表示装置１５１を操作することにより、画面における複数の図形のうち、取引可能な電力量および取引希望価格の決定のもととなった候補の図形を選択する操作を行うと、表示装置１５１における通信部２１は、当該操作の内容を示す操作情報を電力管理装置１０１へ送信する。
【００６８】
そして、電力管理装置１０１における表示処理部１４は、通信部２１から送信された当該操作情報を受信すると、当該操作情報に基づいて、たとえば、管理者等により選択された図形を強調表示する。また、表示処理部１４は、当該操作情報を管理部１２へ出力する。
【００６９】
管理部１２は、表示処理部１４から操作情報を受けると、たとえば、当該操作情報、および予め記憶部１３に保存されている施設側装置１０２ごとの過去の調整の実績量などに基づいて、管理者等により選択された図形の示す候補の調整可能量およびコストを実現するための１または複数の依頼対象を、自己の電力管理装置１０１の管理対象である施設側装置１０２の中から決定する。
【００７０】
また、管理部１２は、依頼対象ごとに、調整を行う期間（以下、単に「調整期間」と称する。）および調整量を決定する。
【００７１】
そして、管理部１２は、たとえば、決定した１または複数の依頼対象、ならびに、依頼対象ごとの調整期間および調整量を示す依頼対象情報を記憶部１３に保存する。
【００７２】
そして、管理者等が表示装置１５１を操作することにより、調整期間および調整量を示す依頼情報の送信指示の入力を行うと、表示装置１５１における通信部２１は、当該送信指示を示す送信指示情報を電力管理装置１０１へ送信する。
【００７３】
表示処理部１４は、表示装置１５１の通信部２１から送信された送信指示情報を受信すると、受信した送信指示情報を管理部１２へ出力する。
【００７４】
管理部１２は、表示処理部１４から送信指示情報を受けると、たとえば、記憶部１３に保存されている依頼対象情報を読み出し、読み出した依頼対象情報を送信部１５へ出力する。
【００７５】
送信部１５は、管理部１２から依頼対象情報を受けると、当該依頼対象情報に基づいて、依頼対象である各施設側装置１０２へ対応の調整期間および調整量を示す依頼情報を送信する。
【００７６】
施設側装置１０２は、電力管理装置１０１から送信された依頼情報を受信すると、たとえば、受信した依頼情報の示す調整期間において自己の発電量、電力消費量または蓄電量を調整することにより、当該依頼情報の示す調整量を実現する。
【００７７】
なお、電力管理装置１０１は、１または複数の候補を示す候補情報を取得し、取得した候補情報に基づいて、各候補を期間に対応づけて表示する処理を行う構成であればよく、依頼情報の送信等を行わない構成であってもよい。
【００７８】
また、取得部１１および表示処理部１４の少なくともいずれか一方が表示処理装置として、電力管理装置１０１とは別個に設けられてもよい。また、このような場合、表示処理装置が、さらに、表示装置１５１における各ユニットの一部または全部を備えてもよい。
【００７９】
［画面の具体例］
（ａ）例１
図２は、本発明の実施の形態に係る電力管理装置における表示処理部により表示される画面の例１を示す図である。
【００８０】
（候補を示す図形）
図２を参照して、管理者等が電力消費の調整の目標量または電力系統への電力供給の調整の目標量として「１５ＭＷ」を表示装置１５１に入力したとする。
【００８１】
この場合、表示装置１５１における通信部２１は、「１５ＭＷ」を示す目標量情報を電力管理装置１０１へ送信する。そして、電力管理装置１０１における取得部１１は、表示装置１５１における通信部２１から送信された目標量情報を、表示処理部１４および管理部１２経由で受信する。
【００８２】
そして、取得部１１は、たとえば、受信した目標量情報の示す目標量である「１５ＭＷ」を外部サーバに通知して、現在時刻以降を始期とする４８時間の期間における３０分単位の１または複数の候補を示す候補情報を当該外部サーバから取得する。
【００８３】
具体的には、候補情報は、たとえば、９：００〜９：３０の期間の候補として「候補１１」、「候補１２」および「候補１３」を示し、９：３０〜１０：００の期間の候補として「候補２１」を示し、１０：００〜１０：３０の期間の候補として「候補３１」および「候補３２」を示す。
【００８４】
そして、取得部１１は、取得した候補情報を、管理部１２経由で表示処理部１４へ出力する。表示処理部１４は、取得部１１から候補情報を受けると、当該候補情報の示す１または複数の候補を期間に対応づけて表示部２３に表示する。
【００８５】
具体的には、表示処理部１４は、たとえば、３０分単位で区切られたタイムテーブルＴとともに、複数の図形をタイムテーブルＴの対応する位置に表示する。
【００８６】
すなわち、表示処理部１４は、タイムテーブルＴにおける９：００〜９：３０に対応する列に「候補１１」、「候補１２」および「候補１３」をそれぞれ示す図形Ａ１１、図形Ａ１２および図形Ａ１３を並べて表示する。
【００８７】
また、表示処理部１４は、タイムテーブルＴにおける９：３０〜１０：００に対応する列に「候補２１」を示す図形Ａ２１を表示する。また、表示処理部１４は、タイムテーブルＴにおける１０：００〜１０：３０に対応する列に「候補３１」および「候補３２」をそれぞれ示す図形Ａ３１および図形Ａ３２を並べて表示する。
【００８８】
また、表示処理部１４は、たとえば、各候補の調整可能量およびコストを示す文字を対応する各図形の内部に表示する。
【００８９】
具体的には、表示処理部１４は、たとえば、図形Ａ１１の内部に、調整可能量が１５ＭＷであり、コストが１８円／ｋＷｈであること示す文字を表示する。また、表示処理部１４は、たとえば、図形Ａ１２の内部に、調整可能量が１２ＭＷであり、コストが２０円／ｋＷｈであること示す文字を表示する。また、表示処理部１４は、たとえば、図形Ａ１３の内部に、調整可能量が１０ＭＷであり、コストが２１円／ｋＷｈであること示す文字を表示する。
【００９０】
なお、候補情報は、３０分単位の候補に限らず、たとえば、３０分よりも細かい時間単位の候補を示してもよい。
【００９１】
（ソートボタン）
また、表示処理部１４は、たとえば、画面における複数の図形の並び替えを指示するためのソートボタンＳｏを表示する。そして、管理者等が表示装置１５１を操作することにより画面におけるソートボタンＳｏを選択する操作を行うと、表示装置１５１における通信部２１は、当該操作の内容を示す操作情報を電力管理装置１０１へ送信する。
【００９２】
そして、電力管理装置１０１における表示処理部１４は、通信部２１から送信された、ソートボタンＳｏを選択する操作を示す操作情報を受信すると、たとえば、同じ列に並ぶ複数の図形を、調整可能量の多い順または少ない順に並べて表示したり、コストの安い順または高い順に上から並べて表示したりする。
【００９３】
（更新ボタン）
また、表示処理部１４は、たとえば、画面の更新を指示するための更新ボタンＵｐを表示する。そして、管理者等が表示装置１５１を操作することにより画面における更新ボタンＵｐを選択する操作を行うと、表示装置１５１における通信部２１は、当該操作の内容を示す操作情報を電力管理装置１０１へ送信する。
【００９４】
そして、電力管理装置１０１における取得部１１は、たとえば、通信部２１から送信された、更新ボタンＵｐを選択する操作を示す操作情報を、表示処理部１４および管理部１２経由で受信すると、１または複数の候補を示す候補情報を新たに取得する。
【００９５】
なお、調整可能量は天候などにより変化する可能性がある。このため、取得部１１により新たに取得される候補情報は、前回取得された候補情報と同一の候補を示す場合もあり、異なる候補を示す場合もある。
【００９６】
取得部１１は、新たに候補情報を取得すると、当該候補情報を、管理部１２経由で表示処理部１４へ出力する。そして、表示処理部１４は、取得部１１から候補情報を受けると、当該候補情報の示す１または複数の候補をそれぞれ示す図形を期間に対応づけて表示部２３に表示する。
【００９７】
なお、取得部１１は、更新ボタンＵｐが選択された場合に限らず、定期的に候補情報を取得してもよい。この場合、表示処理部１４は、たとえば、取得部１１により候補情報が取得される度に画面の更新を行ってもよい。
【００９８】
（選択ボタン）
また、表示処理部１４は、たとえば、依頼情報の送信を指示するための選択ボタンＳｅを表示する。
【００９９】
管理者等が、成立した９：００〜９：３０の期間についての約定の内容を用いて、表示装置１５１を操作することにより画面における図形Ａ１１を選択したとする。この場合、表示処理部１４は、たとえば、図形Ａ１１の線を太くすることにより図形Ａ１１を強調表示する。
【０１００】
また、この場合、管理部１２は、たとえば、予め記憶部１３に保存されている施設側装置１０２ごとの過去の調整の実績量などに基づいて、図形Ａ１１の示す調整可能量１５ＭＷおよびコスト１８円／ｋＷｈを実現するための１または複数の依頼対象を決定する。また、管理部１２は、依頼対象ごとの調整期間および調整量を決定する。そして、管理部１２は、決定内容を示す依頼対象情報を記憶部１３に保存する。
【０１０１】
また、管理者等が、表示装置１５１を操作することにより、画面における図形Ａ１１を選択した後、さらに、画面における選択ボタンＳｅを選択すると、表示装置１５１の通信部２１は、依頼情報の送信指示を示す送信指示情報を電力管理装置１０１へ送信する。
【０１０２】
電力管理装置１０１における管理部１２は、通信部２１から送信された送信指示情報を表示処理部１４経由で受信すると、たとえば、記憶部１３から依頼対象情報を読み出し、読み出した依頼対象情報を送信部１５へ出力する。
【０１０３】
なお、管理部１２は、送信指示情報を受信した後に、１または複数の依頼対象、依頼対象ごとの調整期間および調整量を決定してもよい。
【０１０４】
そして、送信部１５は、管理部１２から依頼対象に関する情報を受けると、当該依頼対象情報に基づいて、依頼対象である各施設側装置１０２へ対応の調整期間および調整量を示す依頼情報を送信する。
【０１０５】
（時刻ライン）
また、表示処理部１４は、たとえば、現在時刻を示す時刻ラインＬを、タイムテーブルＴの対応する位置に表示する。この時刻ラインＬの表示位置は、たとえば、時間の経過とともに変化する。
【０１０６】
（ｂ）例２
図３は、本発明の実施の形態に係る電力管理装置における表示処理部により表示される画面の例２を示す図である。
【０１０７】
調整可能量およびコストの候補は、１または複数の依頼対象、依頼対象ごとの調整可能量、および依頼対象ごとのコストを含む内容であってもよい。
【０１０８】
また、表示処理部１４は、画面における複数の図形のうちの一部の図形について、対応する候補に含まれる依頼対象に関する情報を表示してもよい。
【０１０９】
具体的には、図２および図３を参照して、図２に示す画面における図形Ａ１１の示す候補１１は、たとえば、依頼対象の組である「組１」および「組２」を含む。「組１」は、施設側装置１０２Ａ、施設側装置１０２Ｂおよび施設側装置１０２Ｃ等を依頼対象として含む。また、「組２」は、施設側装置１０２ＡＡ、施設側装置１０２ＢＢおよび施設側装置１０２ＣＣ等を依頼対象として含む。
【０１１０】
また、候補１１は、たとえば、「組１」および「組２」にそれぞれ含まれる依頼対象ごとの調整可能量、および依頼対象ごとのコストを含む。
【０１１１】
管理者等が表示装置１５１を操作することにより図２に示す画面における図形Ａ１１を選択する操作を行うと、表示装置１５１における通信部２１は、当該操作の内容を示す操作情報を電力管理装置１０１へ送信する。
【０１１２】
電力管理装置１０１における表示処理部１４は、通信部２１から送信された、図形Ａ１１を選択する操作を示す操作情報を受信すると、当該操作情報および記憶部１３に保存されている候補情報に基づいて、図３に示すように、候補１１を示す図形Ａ１１、および候補１１に含まれる依頼対象に関する情報を表示する。
【０１１３】
具体的には、表示処理部１４は、候補１１を示す図形Ａ１１をタイムテーブルＴ１１とともに表示する。また、表示処理部１４は、「組１」の依頼対象である施設側装置１０２Ａ，１０２Ｂ，１０２Ｃ，・・・にそれぞれ対応するタイムテーブルＴａ，Ｔｂ，Ｔｃ，・・・を縦に並べて表示する。
【０１１４】
また、表示処理部１４は、「組２」の依頼対象である施設側装置１０２ＡＡ，１０２ＢＢ，１０２ＣＣ，・・・にそれぞれ対応するタイムテーブルＴａａ，Ｔｂｂ，Ｔｃｃ，・・・を縦に並べて表示する。
【０１１５】
また、表示処理部１４は、タイムテーブルＴａ，Ｔｂ，Ｔｃ，・・・の内部であって、タイムテーブルＴ１１の９：００〜９：３０に対応する列に、「組１」に含まれる各施設側装置１０２の調整可能量およびコストを示すための図形Ｂ１ａ，Ｂ１ｂ，Ｂ１ｃ，・・・を表示する。
【０１１６】
また、表示処理部１４は、タイムテーブルＴａａ，Ｔｂｂ，Ｔｃｃ，・・・の内部であって、タイムテーブルＴ１１の９：００〜９：３０に対応する列に、「組２」に含まれる各施設側装置１０２の調整可能量およびコストを示すための図形Ｂ１ａａ，Ｂ１ｂｂ，Ｂ１ｃｃ，・・・を表示する。
【０１１７】
また、表示処理部１４は、各施設側装置１０２の調整可能量およびコストを示す文字を、対応する各図形の内部に表示する。
【０１１８】
（ｃ）例３
図４は、本発明の実施の形態に係る電力管理装置における表示処理部により表示される画面の例３を示す図である。
【０１１９】
表示処理部１４は、画面における各図形について、対応する候補に含まれる依頼対象に関する情報を表示してもよい。
【０１２０】
具体的には、図４を参照して、表示処理部１４は、「シンプル表示」を選択するためのチェックボックスＣｈ１、および「詳細表示」を選択するためのチェックボックスＣｈ２を表示する。
【０１２１】
そして、管理者等が表示装置１５１を操作することにより画面におけるチェックボックスＣｈ１を選択すると、表示処理部１４は、表示装置１５１における通信部２１から送信された、当該操作の内容を示す操作情報を受信する。
【０１２２】
そして、表示処理部１４は、受信した操作情報に基づいて、たとえば、画面におけるチェックボックスＣｈ１にチェックを入れて表示するとともに、シンプル表示として、図２に示すようなタイムテーブルＴおよび図形Ａ１１，Ａ１２，Ａ１３，Ａ２１，Ａ３１，Ａ３２を表示する。
【０１２３】
また、管理者等が表示装置１５１を操作することにより画面におけるチェックボックスＣｈ２を選択する操作を行うと、表示処理部１４は、表示装置１５１における通信部２１から送信された、当該操作の内容を示す操作情報を受信する。
【０１２４】
そして、表示処理部１４は、受信した操作情報および記憶部１３に保存されている候補情報に基づいて、たとえば、画面におけるチェックボックスＣｈ２にチェックを入れて表示するとともに、詳細表示として図４に示すような画面を表示する。
【０１２５】
すなわち、表示処理部１４は、詳細表示として、たとえば、各候補に含まれる１または複数の依頼対象、依頼対象ごとの調整可能量、および依頼対象ごとのコストを示す文字を内部に含む図形Ａ１１，Ａ１２，Ａ１３，Ａ２１，Ａ３１，Ａ３２を、タイムテーブルＴとともに表示する。
【０１２６】
（ｄ）例４
図５は、本発明の実施の形態に係る電力管理装置における表示処理部により表示される画面の例４を示す図である。
【０１２７】
管理部１２は、候補情報の示す各候補の評価を行い、表示処理部１４は、管理部１２による各候補の評価内容を表示する構成であってもよい。
【０１２８】
図５を参照して、たとえば、管理部１２は、各候補の「電力量」、「信頼度」および「コスト」の３項目についての評価を行い、評価結果を記憶部１３に保存する。
【０１２９】
より詳細には、管理部１２は、たとえば、管理者等により入力された目標量と候補の調整可能量とを比較して、これらが同じ値である場合、当該候補の「電力量」の項目の点数を１００点とする。また、管理部１２は、たとえば、目標量と候補の調整可能量との差が大きいほど、当該候補の「電力量」の項目の点数を低くする。
【０１３０】
また、候補が依頼対象ごとの過去の調整の実績量を含む内容である場合、管理部１２は、たとえば、各候補に含まれる依頼対象の過去の調整の実績量に基づいて、調整可能量を実現できる可能性に応じた信頼度を各候補について算出する。そして、管理部１２は、たとえば、算出した信頼度の高い候補から順に、１００点、９０点、・・・のように「信頼度」の項目の点数をつける。
【０１３１】
また、管理部１２は、たとえば、コストの低い候補から順に、１００点、９０点、・・・のように「コスト」の項目の点数をつける。
【０１３２】
表示処理部１４は、たとえば、「シンプル表示」を選択するためのチェックボックスＣｈ１、「詳細表示」を選択するためのチェックボックスＣｈ２、および「レーダーチャート表示」を選択するためのチェックボックスＣｈ３を表示する。
【０１３３】
また、管理者等が表示装置１５１を操作することにより画面におけるチェックボックスＣｈ３を選択する操作を行うと、表示処理部１４は、表示装置１５１における通信部２１から送信された、当該操作の内容を示す操作情報を受信する。
【０１３４】
そして、表示処理部１４は、受信した操作情報に基づいて、たとえば、画面におけるチェックボックスＣｈ３にチェックを入れて表示するとともに、レーダーチャート表示として図５に示すような画面を表示する。
【０１３５】
より詳細には、表示処理部１４は、たとえば、記憶部１３に保存された各候補の評価結果を読み出す。そして、表示処理部１４は、読み出した評価結果に基づいて、たとえば、「電力量」、「信頼度」および「コスト」の３項目のそれぞれの点数を示すレーダーチャート、ならびに３項目の点数の合計を示す文字を内部に含む図形Ａ１１，Ａ１２，Ａ１３，Ａ２１，Ａ３１，Ａ３２を、タイムテーブルＴとともに表示する。
【０１３６】
（ｅ）例５
図６は、本発明の実施の形態に係る電力管理装置における表示処理部により表示される画面の例５を示す図である。
【０１３７】
表示処理部１４は、各候補に含まれる依頼対象の一部または全部を変更するための情報を表示してもよい。
【０１３８】
図４および図６を参照して、管理者等が表示装置１５１を操作することにより図４に示す画面における図形Ａ１１の内部に表示された施設側装置１０２Ｃ１を選択したとする。この場合、表示装置１５１における通信部２１は、当該操作の内容を示す操作情報を電力管理装置１０１へ送信する。
【０１３９】
電力管理装置１０１における表示処理部１４は、通信部２１から送信された当該操作情報を受信すると、図６に示すように、たとえば、施設側装置１０２Ｃ１と他の施設側装置１０２との入れ替え、または施設側装置１０２Ｃ１の削除を選択するためのメニューＭｅを、依頼対象を変更するための情報として表示する。
【０１４０】
そして、管理者等が表示装置１５１を操作することにより施設側装置１０２Ｃ１を他の施設側装置１０２と入れ替えることを選択すると、表示処理部１４は、表示装置１５１における通信部２１から送信された、当該操作の内容を示す操作情報を受信する。
【０１４１】
そして、表示処理部１４は、受信した操作情報に基づいて、たとえば、依頼対象の候補である施設側装置１０２のリストＬｓを、依頼対象を変更するための情報として表示する。
【０１４２】
リストＬｓには、たとえば、複数の施設側装置１０２、各施設側装置１０２の調整可能量、各施設側装置１０２のコスト、および各施設側装置１０２の過去の調整の実績量に基づいて評価された「信頼度」の点数が含まれる。
【０１４３】
なお、リストＬｓには、電力管理装置１０１の管理対象である施設側装置１０２の全部が含まれてもよいし、管理対象である施設側装置１０２の一部が含まれてもよい。
【０１４４】
たとえば、リストＬｓには、管理対象である施設側装置１０２のうち、９：００〜９：３０の期間における調整可能量が当該期間における施設側装置１０２Ｃ１の調整可能量である７０ｋＷに近い施設側装置１０２、具体的には、調整可能量が５０ｋＷ〜９０ｋＷである施設側装置１０２が含まれる。
【０１４５】
そして、管理者等が表示装置１５１を操作することにより施設側装置１０２Ｃ１と入れ替える施設側装置１０２をリストＬｓの中から選択すると、管理部１２は、表示装置１５１における通信部２１から送信された、当該操作の内容を示す操作情報を表示処理部１４経由で受信する。
【０１４６】
そして、管理部１２は、受信した操作情報に基づいて、たとえば、候補１１から施設側装置１０２Ｃ１を削除し、管理者等により選択された施設側装置１０２を候補１１に含める。
【０１４７】
（ｆ）例６
図７は、本発明の実施の形態に係る電力管理装置における表示処理部により表示される画面の例６を示す図である。
【０１４８】
調整可能量およびコストの候補は、１または複数の依頼対象、依頼対象ごとの調整可能量、および依頼対象ごとのコストに加えて、さらに、各依頼対象の属性と、環境と、実績に基づく情報とのうちの少なくともいずれか１つを含む詳細情報を含む内容であってもよい。
【０１４９】
また、表示処理部１４は、各候補に含まれる依頼対象の詳細情報を表示してもよい。
【０１５０】
依頼対象の属性は、依頼対象の所在地、および評価された「信頼度」の点数などである。また、依頼対象の環境は、依頼対象の存在するエリアにおける天気予報などである。また、依頼対象の実績に基づく情報は、依頼対象の過去の調整の実績量などである。
【０１５１】
図４および図７を参照して、管理者等が表示装置１５１を操作することにより図４に示す画面における図形Ａ１１の内部に表示された施設側装置１０２Ｃ１を選択したとする。この場合、表示装置１５１における通信部２１は、当該操作の内容を示す操作情報を電力管理装置１０１へ送信する。
【０１５２】
電力管理装置１０１における表示処理部１４は、通信部２１から送信された当該操作情報を受信すると、図７に示すように、たとえば、施設側装置１０２Ｃ１の詳細情報を内部に含む図形Ｄｅを表示する。
【０１５３】
より詳細には、表示処理部１４は、たとえば、記憶部１３に保存されている候補情報の中から、施設側装置１０２Ｃ１の詳細情報を読み出す。
【０１５４】
そして、表示処理部１４は、読み出した施設側装置１０２Ｃ１の詳細情報に基づいて、たとえば、施設側装置１０２Ｃ１の所在地、施設側装置１０２Ｃ１の存在するエリアにおける９：００〜９：３０の期間の天気予報、「信頼度」の点数、過去の調整期間における施設側装置１０２Ｃ１の調整可能量およびコスト、ならびに、当該調整期間における施設側装置１０２Ｃ１の調整の実績量を示す文字を内部に含む図形Ｄｅを表示する。
【０１５５】
＜動作の流れ＞
次に、本発明の実施の形態に係る電力管理装置１０１の動作の流れについて説明する。
【０１５６】
電力管理システム２０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【０１５７】
図８は、本発明の実施の形態に係る電力管理装置による動作手順を定めたフローチャートである。
【０１５８】
図８を参照して、まず、電力管理装置１０１は、たとえば、管理者等により入力された調整の目標量を示す目標量情報を取得する（ステップＳ１１）。
【０１５９】
次に、電力管理装置１０１は、たとえば、取得した目標量情報の示す目標量を外部サーバに通知して、調整可能量およびコストの１または複数の候補を示す候補情報を当該外部サーバから取得する（ステップＳ１２）。
【０１６０】
次に、電力管理装置１０１は、取得した候補情報に基づいて、当該候補情報の示す各候補を期間に対応づけて表示する処理を行う（ステップＳ１３）。
【０１６１】
次に、電力管理装置１０１は、表示した候補のうちのいずれかの候補を選択する操作を示す操作情報を受信すると（ステップＳ１４）、たとえば、選択された候補の調整可能量およびコストを実現するための１または複数の依頼対象を決定する（ステップＳ１５）。
【０１６２】
次に、電力管理装置１０１は、依頼対象ごとの調整期間および調整量を決定する（ステップＳ１６）。
【０１６３】
次に、電力管理装置１０１は、調整期間および調整量を示す依頼情報の送信指示を示す送信指示情報を受信すると（ステップＳ１７）、依頼対象である各施設側装置１０２へ対応の調整期間および調整量を示す依頼情報を送信する（ステップＳ１８）。
【０１６４】
なお、電力管理装置１０１は、いずれかの候補を選択する操作を示す操作情報の受信（ステップＳ１４）よりも前に、依頼対象の決定（ステップＳ１５）、および依頼対象ごとの調整期間および調整量の決定（ステップＳ１６）を行ってもよい。
【０１６５】
ところで、管理者等において、上記のような電力消費または電力系統への電力供給の調整に関する処理をより円滑に行うことのできる技術が求められている。
【０１６６】
これに対して、本発明の実施の形態に係る電力管理装置１０１では、取得部１１は、電力消費または電力系統への電力供給の調整についての調整可能量およびコストの１または複数の候補を示す候補情報を取得する。また、表示処理部１４は、取得部１１により取得された候補情報に基づいて、候補を期間に対応づけて表示する処理を行う。
【０１６７】
このような構成により、画面の表示を確認することで、たとえば、ある期間における電力消費の調整可能量、またはある期間における電力系統への電力供給の調整可能量と、上記調整のためのコストとを視覚的に容易に把握することができる。
【０１６８】
また、管理者等において、たとえば、電力を売買する市場において電力の取引を行う場合、画面の表示を確認して調整可能量およびコストの候補を把握することにより、市場へ通知する取引可能な電力量および取引希望価格を容易に決定することができる。
【０１６９】
したがって、本発明の実施の形態に係る電力管理装置１０１では、管理者等において、電力消費または電力系統への電力供給の調整に関する処理をより円滑に行うことができる。
【０１７０】
また、本発明の実施の形態に係る電力管理装置１０１では、上記期間は、電力を売買する市場における取引の時間区分に基づく期間である。
【０１７１】
このような構成により、管理者等において、たとえば、電力の取引が行われる時間単位の調整可能量およびコストを把握することができるため、市場へ通知する取引可能な電力量および取引希望価格をより容易に決定することができる。
【０１７２】
また、本発明の実施の形態に係る電力管理装置１０１では、表示処理部１４は、候補を期間に対応づけて表示する処理において、候補の評価内容をさらに表示する。
【０１７３】
このような構成により、管理者等において、画面に表示された候補の特徴を容易に把握することができる。また、たとえば、複数の候補が存在し、画面に各候補の評価内容が表示される場合、管理者等において、各候補の特徴を容易に比較することができる。
【０１７４】
また、本発明の実施の形態に係る電力管理装置１０１では、上記候補は、上記調整の依頼対象ごとの調整可能量およびコストを含む。
【０１７５】
このような構成により、管理者等において当該候補のより詳細な内容を把握することができる。
【０１７６】
また、管理者等において、たとえば、依頼対象ごとの調整可能量およびコストを把握したうえで、市場へ通知する取引可能な電力量および取引希望価格を決定することができる。
【０１７７】
また、本発明の実施の形態に係る電力管理装置１０１では、表示処理部１４は、候補を期間に対応づけて表示する処理において、候補に含まれる依頼対象を変更するための情報をさらに表示する。
【０１７８】
このような構成により、管理者等において、画面に表示された情報を用いることにより、候補に含まれる依頼対象の入れ替えまたは削除などの変更を容易に行うことができる。
【０１７９】
また、本発明の実施の形態に係る電力管理装置１０１では、表示処理部１４は、候補を期間に対応づけて表示する処理において、依頼対象の属性と、環境と、実績に基づく情報とのうちの少なくともいずれか１つをさらに表示する。
【０１８０】
このような構成により、管理者等において、たとえば、依頼対象ごとの調整可能量およびコストに加えて、さらに、依頼対象ごとのより詳細な情報を把握したうえで、市場へ通知する取引可能な電力量および取引希望価格を決定することができる。
【０１８１】
また、本発明の実施の形態に係る電力管理装置１０１では、送信部１５は、管理者等により選択された候補に含まれる依頼対象へ上記調整の依頼情報を送信する。
【０１８２】
このような構成により、管理者等において、各依頼対象への依頼情報を一斉かつ容易に送信することができる。
【０１８３】
また、本発明の実施の形態に係る電力管理装置１０１における表示処理方法は、電力消費または電力系統への電力供給の調整についての調整可能量およびコストの１または複数の候補を示す候補情報を取得するステップと、取得した候補情報に基づいて、候補を期間に対応づけて表示する処理を行うステップとを含む。
【０１８４】
このような方法により、画面の表示を確認することで、たとえば、ある期間における電力消費の調整可能量、またはある期間における電力系統への電力供給の調整可能量と、上記調整のためのコストとを視覚的に容易に把握することができる。
【０１８５】
また、管理者等において、たとえば、電力を売買する市場において電力の取引を行う場合、画面の表示を確認して調整可能量およびコストの候補を把握することにより、市場へ通知する取引可能な電力量および取引希望価格を容易に決定することができる。
【０１８６】
したがって、本発明の実施の形態に係る電力管理装置１０１における表示処理方法では、管理者等において、電力消費または電力系統への電力供給の調整に関する処理をより円滑に行うことができる。
【０１８７】
なお、本発明の実施の形態に係る電力管理装置１０１および表示装置１５１の少なくともいずれか一方の機能の一部または全部が、クラウドコンピューティングによって提供されてもよい。すなわち、本発明の実施の形態に係る電力管理装置１０１および表示装置１５１の少なくともいずれか一方が、複数のクラウドサーバ等によって構成されてもよい。
【０１８８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１８９】
以上の説明は、以下に付記する特徴を含む。
【０１９０】
［付記１］
電力消費または電力系統への電力供給の調整についての調整可能量およびコストの１または複数の候補を示す候補情報を取得する取得部と、
前記取得部により取得された前記候補情報に基づいて、前記候補を期間に対応づけて表示する処理を行う表示処理部とを備え、
前記候補情報は、３０分単位の１または複数の候補を示し、
前記表示処理部は、３０分単位で区切られたタイムテーブルとともに、前記候補を示す図形を前記タイムテーブルの対応する位置に表示する、表示処理装置。
【符号の説明】
【０１９１】
１１  取得部
１２  管理部
１３  記憶部
１４  表示処理部
１５  送信部（通知部）
２１  通信部
２２  表示処理部
２３  表示部
１０１  電力管理装置（表示処理装置）
１０２  施設側装置
１５１  表示装置
２０１  電力管理システム
【図１】
2018061345.tif 000003
【図２】
2018061345.tif 000004
【図３】
2018061345.tif 000005
【図４】
2018061345.tif 000006
【図５】
2018061345.tif 000007
【図６】
2018061345.tif 000008
【図７】
2018061345.tif 000009
【図８】
2018061345.tif 000010